(57)【要約】  【課題】  ヒュージブルリンクの斜め挿入を防止してヒュージブルリンク装着部のタブの変形や、タブとヒュージブルリンクの端子との接触不良を防止する。  【解決手段】  ヒュージブルリンク装着部２０内に内部回路からタブ２２を突出させると共に、周壁２１の内面にタブ２２の突出端よりも高い位置にリブ２４を設けている一方、ヒュージブルリンク３０（４０）のケース外面にリブ２４をヒュージブルリンクの下端側から挿入する溝３２（４２）を設け、ヒュージブルリンク３０をヒュージブルリンク装着部２０に対して真っ直ぐに挿入すると、リブ２４がヒュージブルリンク３０の溝３２に挿入されてヒュージブルリンク３０をヒュージブルリンク装着部２０の正規嵌合位置まで挿入できる一方、ヒュージブルリンク３０をヒュージブルリンク装着部２０に対して斜めに挿入すると、リブ２４がヒュージブルリンク３０の下端面に干渉して挿入できない構成としている。  【選択図】  図７
2005353465.tif 000002
【特許請求の範囲】
【請求項１】
電気接続箱のケース外面に、高さは相違すると共に該高さ方向と直交する断面外形が同様な高さの低い第１ヒュージブルリンクと高さの高い第２ヒュージブルリンクとを選択的に収容でき、前記第１ヒュージブルリンクの高さに合わせられた共用のヒュージブルリンク装着部が設けられ、
前記ヒュージブルリンク装着部の底壁から周壁に囲まれた収容空間内に前記ケースに収容された内部回路材からヒュージブルリンク接続用のタブが突出されていると共に、前記周壁の内面には、前記タブの突出端以上の高さ位置にリブが突設されている一方、
前記第１ヒュージブルリンクおよび第２ヒュージブルリンクの外周面には前記リブと嵌合する溝が設けられていることを特徴とする電気接続箱のヒュージブルリンク装着構造。
【請求項２】
前記リブは前記底壁から高さ方向に延在させていると共に、前記第１ヒュージブルリンクおよび第２ヒュージブルリンクの外周面に設けられる前記溝も挿入側先端から延在させている請求項１に記載の電気接続箱のヒュージブルリンク装着構造。
【請求項３】
前記リブは前記タブの突出端よりも高い位置に水平方向に延在させて設けていると共に、前記第１ヒュージブルリンクおよび第２ヒュージブルリンクの外周面には前記リブとの対応位置に前記溝が凹設されている請求項１に記載の電気接続箱のヒュージブルリンク装着構造。
【請求項４】
前記ヒュージブルリンク装着部は平面視長方形状で、前記リブは長辺側の一方あるいは両方の周壁内面に設けられ、かつ、前記ヒュージブルリンク装着部内に突出する一対の前記タブ間と対向する位置に前記リブが設けられている請求項１乃至請求項３のいずれか１項に記載の電気接続箱のヒュージブルリンク装着構造。
【発明の詳細な説明】
【技術分野】
【０００１】
本発明は、電気接続箱のヒュージブルリンク装着構造に関し、詳しくは、高さの異なるヒュージブルリンクをいずれも選択的に装着できるようにするものである。
【背景技術】
【０００２】
従来、自動車に搭載する電気接続箱には、差し込みタイプのヒュージブルリンクを装着するためのヒュージブルリンク装着部を備えたものがある。
前記差し込みタイプのヒュージブルリンクには、高さは相違するが該高さと直交する断面外形が同様な高さの低いヒュージブルリンクと高さの高いヒュージブルリンクとがあり、同一のヒュージブルリンク装着部に高さの低いヒュージブルリンクも高さの高いヒュージブルリンクもいずれも選択的に装着可能として、ヒュージブルリンク装着部を共用化することが望まれている。
【０００３】
そこで、特開２００４−７９１２号（特許文献１）において、図１１に示すヒュージブルリンク装着部１が開示されている。該ヒュージブルリンク装着部１は周壁２の高さを高さの低いヒュージブルリンクの高さに対応させて低くして、高さの高い第２ヒュージブルリンク５と高さの低い第１ヒュージブルリンク６のいずれも選択的に装着可能とし、ヒュージブルリンク装着部１の底壁部３から突出する一対のタブ４と、ヒュージブルリンク装着部１内に収容するヒュージブルリンク５、６内の雌端子７、８とが接続される構造となっている。
【０００４】
しかしながら、特許文献１で開示されている前記構造であると、ヒュージブルリンク装着部１の周壁２の高さを低くする一方、タブ４の突出量は一定であるため、周壁２の上端２ａとタブ４の先端４ａとの間隔Ｈが小さくなってしまう。
図１２（Ａ）に示すように、周壁の高さを高くした高さの高い第２ヒュージブルリンク専用のヒュージブルリンク装着部１’であれば、周壁２’の上端２ａ’とタブ４の先端４ａとの間隔Ｈ’が大きいため、ヒュージブルリンク装着部１’に第２ヒュージブルリンク５が斜めに挿入されても該ヒュージブルリンク５がタブ４と干渉しない。一方、特許文献１で開示されているように周壁２の高さを低くしたヒュージブルリンク装着部１であると、図１２（Ｂ）に示すように、ヒュージブルリンク装着部１に高さの低い第１ヒュージブルリンク６が斜めに挿入されると、タブ４が第１ヒュージブルリンク６と干渉して変形してしまったり、第１ヒュージブルリンク６が斜めの状態のままタブ４が第１ヒュージブルリンク６内に挿入されると、該タブ４により第１ヒュージブルリンク６内の端子８が上方に押し上げられて位置ズレして接触不良を起こす問題がある。ヒュージブルリンク装着部１に高さの高い第２ヒュージブルリンク５を装着する際にも同様の問題がある。
【特許文献１】特開２００４−７９１２号公報
【発明の開示】
【発明が解決しようとする課題】
【０００５】
本発明は前記問題に鑑みてなされたものであり、高さの高いヒュージブルリンクと高さの低いヒュージブルリンクを選択的に装着可能とするヒュージブルリンク装着部において、ヒュージブルリンク装着部のタブの変形や、タブとヒュージブルリンクの端子との接触不良を起こすことなく確実にヒュージブルリンクをヒュージブルリンク装着部に装着できるようにすることを課題としている。
【課題を解決するための手段】
【０００６】
前記課題を解決するため、本発明は、電気接続箱のケース外面に、高さは相違すると共に該高さ方向と直交する断面外形が同様な高さの低い第１ヒュージブルリンクと高さの高い第２ヒュージブルリンクとを選択的に収容でき、前記第１ヒュージブルリンクの高さに合わせられた共用のヒュージブルリンク装着部が設けられ、
前記ヒュージブルリンク装着部の底壁から周壁に囲まれた収容空間内に前記ケースに収容された内部回路材からヒュージブルリンク接続用のタブが突出されていると共に、前記周壁の内面には、前記タブの突出端以上の高さ位置にリブが突設されている一方、
前記第１ヒュージブルリンクおよび第２ヒュージブルリンクの外周面には前記リブと嵌合する溝が設けられていることを特徴とする電気接続箱のヒュージブルリンク装着構造を提供している。
【０００７】
前記構成によれば、高さの低い第１ヒュージブルリンクもしくは高さの高い第２ヒュージブルリンクがヒュージブルリンク装着部に対して斜めに挿入されると、ヒュージブルリンクの下端面がタブに干渉する前に、該タブよりも上方に位置するリブがヒュージブルリンクの下端面に干渉し、ヒュージブルリンクをそれ以上挿入することができない。よって、ヒュージブルリンクとヒュージブルリンク装着部のタブが干渉しないため、タブの変形を防止することができる。
また、ヒュージブルリンクが若干斜めになった状態でヒュージブルリンク装着部に挿入されても、ヒュージブルリンクは前記リブと溝との嵌合により真っ直ぐに矯正されてヒュージブルリンク装着部に挿入されるため、タブがヒュージブルリンクのケース内に真っ直ぐに挿入され、タブがケース内の端子を押し上げて位置ズレさせることもなく、タブと前記端子とを確実に接続することができ接触不良を起こすことがない。
【０００８】
このように、ヒュージブルリンク装着部の外周部の内面にリブを設けることにより、ヒュージブルリンクの斜め挿入を防止することができるため、ヒュージブルリンク装着部の周壁を低く設定して、ヒュージブルリンク装着部を高さの低い第１ヒュージブルリンクと高さの高い第２ヒュージブルリンクに共用化でき、電気接続箱の汎用性を高めることができる。
【０００９】
前記リブは前記底壁から高さ方向に延在させていると共に、前記第１ヒュージブルリンクおよび第２ヒュージブルリンクの外周面に設けられる前記溝も挿入側先端から延在させ、あるいは
前記リブは前記タブの突出端よりも高い位置に水平方向に延在させて設けていると共に、前記第１ヒュージブルリンクおよび第２ヒュージブルリンクの外周面には前記リブとの対応位置に前記溝が凹設されていることが好ましい。
【００１０】
前記構成によれば、高さ方向に延在したリブもしくはタブの突出端よりも高い位置に水平方向に延在させているリブがヒュージブルリンクの溝と嵌合して、ヒュージブルリンクをヒュージブルリンク装着部内にガイドすることができる。
【００１１】
前記ヒュージブルリンク装着部は平面視長方形状で、前記リブは長辺側の一方あるいは両方の周壁内面に設けられ、かつ、前記ヒュージブルリンク装着部内に突出する一対の前記タブ間と対向する位置に前記リブが設けられていることが好ましい。
【００１２】
ヒュージブルリンク装着部に挿入するヒュージブルリンクは、ヒュージブルリンク装着部の長辺方向に斜めとなった状態で挿入されやすいが、前記構成として、リブを周壁の長辺側の内面に設けておくと、リブがヒュージブルリンクの下端面に干渉して傾斜状態での挿入を防止することができる。
また、前記リブは周壁内面の一方にのみ設ける構成としてもよいが、両方に設ける構成とすると、ヒュージブルリンク装着部にヒュージブルリンクが斜めに挿入されたときに、ヒュージブルリンクの下端面の両側にリブが干渉するため、より確実にヒュージブルリンクの斜め挿入を防止することができる。
さらに、前記リブは前記ヒュージブルリンク装着部内に突出する一対のタブ間に対向する位置に設けて、タブの近傍に設けているため、斜めに挿入されたヒュージブルリンクとタブが干渉しそうになると、タブの近傍に設けたリブにヒュージブルリンクが干渉して、ヒュージブルリンクとタブとの干渉を防止することができる。
【発明の効果】
【００１３】
前述したように、本発明によれば、高さの低い第１ヒュージブルリンクもしくは高さの高い第２ヒュージブルリンクがヒュージブルリンク装着部に対して斜めに挿入されると、ヒュージブルリンクの下端面がタブに干渉する前に、該タブよりも上方に位置するリブがヒュージブルリンクの下端面に干渉し、ヒュージブルリンクをそれ以上挿入することができず、ヒュージブルリンクとタブが干渉せず、タブの変形を防止することができる。
また、ヒュージブルリンクが若干斜めになった状態でヒュージブルリンク装着部に挿入されても、ヒュージブルリンクは前記リブと溝との嵌合により真っ直ぐに矯正されてヒュージブルリンク装着部に挿入されるため、タブがヒュージブルリンクのケース内に真っ直ぐに挿入され、タブがケース内の端子を押し上げて位置ズレさせることもなく、タブと前記端子とを確実に接続することができ接触不良を起こすことがない。
【００１４】
このように、ヒュージブルリンク装着部の外周部の内面にリブを設けることにより、ヒュージブルリンクの斜め挿入を防止することができるため、ヒュージブルリンク装着部の周壁を低く設定して、ヒュージブルリンク装着部を高さの異なる２種類の第１、第２ヒュージブルリンクに共用化でき、電気接続箱の汎用性を高めることができる。
【発明を実施するための最良の形態】
【００１５】
本発明の実施形態を図面を参照して説明する。
図１乃至図７は、本発明の第１実施形態を示し、電気接続箱１０はケース外面にヒュージブルリンク装着部２０、複数のヒューズ装着部１１、リレー装着部１２及びコネクタ装着部１３を突設している。
【００１６】
ヒュージブルリンク装着部２０は、図２に示すように、電気接続箱１０のケース外面より四角枠状の周壁２１を突設して形成している。該周壁２１は、後述する高さの低い第１ヒュージブルリンク４０の高さに対応させて低く設定し、後述する高さの高い第２ヒュージブルリンク３０と第１ヒュージブルリンク４０のいずれも選択的に装着できるようにしている。
周壁２１で囲まれたヒュージブルリンク装着部２０内には、電気接続箱１０の内部回路から一対のタブ２２を底壁部２３に設けた端子孔（図示せず）を貫通させて突出させている。タブ２２の幅方向は周壁２１の長辺方向に対して直交方向としている。
【００１７】
周壁２１の長辺側の内面には、ヒュージブルリンク装着部２０に挿入するヒュージブルリンク３０、４０をガイドする一対のリブ２４を設けている。該リブ２４は一対のタブ２２間に対向する位置にそれぞれ設けており、底壁部２３の上面からタブ２２の突出端よりも高い位置まで延在している。即ち、リブ２４の高さをＨ１、タブ２２の突出量をＨ２とすると、Ｈ１＞Ｈ２となるように設定している。
【００１８】
ヒュージブルリンク装着部２０に装着する高さの高い第２ヒュージブルリンク３０と高さの低い第１ヒュージブルリンク４０は、高さは相違するが高さ方向と直交する断面外形を同様の略長方形状としている。該第２ヒュージブルリンク３０と第１ヒュージブルリンク４０は、ヒュージブルリンク装着部２０の周壁２１に内嵌されるケース３１、４１を備え、該ケース３１、４１の長辺側の外面には、図３及び図４に示すように、溝３２、４２を設けている。該溝３２、４２の幅は、前記ヒュージブルリンク装着部２０の周壁２１に設けたリブ２４と略同一幅とし、リブ２４が溝３２、４２に挿入できる深さに設定している。また、溝３２、４２は、ケース３１、４１の下端から所要の高さまで設けており、それぞれの高さＨ３、Ｈ４は、少なくともリブ２４の高さＨ１よりも大きくして、ヒュージブルリンク３０、４０の挿入途中で溝３２、４２の上端がリブ２４に干渉しないようにしている。
【００１９】
前記構成によれば、図５及び図６に示すように、ヒュージブルリンク３０、４０がヒュージブルリンク装着部２０に対して真っ直ぐに挿入されると、ヒュージブルリンク装着部２０のリブ２４がヒュージブルリンク３０、４０の溝３２、４２に挿入され、ヒュージブルリンク３０、４０が正規嵌合位置まで挿入される。このとき、タブ２２がヒュージブルリンク３０、４０のケース下端面に設けた端子孔（図示せず）を通してケース３１、４１内に挿入されてケース３１、４１内の端子（図示せず）と接続される。
【００２０】
一方、図７に示すように、ヒュージブルリンク３０、４０がヒュージブルリンク装着部２０の長辺方向に対して斜めに挿入されると、ヒュージブルリンク３０、４０の下端面がタブ２２に干渉する前に、リブ２４がヒュージブルリンク３０、４０の溝３２、４２を設けていない箇所の下端面に干渉し、ヒュージブルリンク３０、４０をそれ以上挿入することができない。
【００２１】
これにより、第２ヒュージブルリンク３０と第１ヒュージブルリンク４０がヒュージブルリンク装着部２０に対して斜めに挿入されても、ヒュージブルリンク３０、４０とヒュージブルリンク装着部２０のタブ２２が干渉しないため、タブ２２の変形を防止することができる。
また、ヒュージブルリンク３０、４０が若干斜めになった状態でタブ２２がヒュージブルリンク３０、４０のケース３１、４１内に挿入されると、ケース３１、４１内の端子が斜めに挿入されたタブ２２によりケース内の上方に押し上げられて位置ズレするおそれがある。しかしながら、ヒュージブルリンク３０、４０はリブ２４と溝３２、４２との嵌合により真っ直ぐに矯正されてヒュージブルリンク装着部２０に挿入されるため、タブ２２がヒュージブルリンク３０、４０のケース３１、４１内に真っ直ぐに挿入され、ケース３１、４１内の端子が位置ズレすることもなく、タブ２２と前記端子とを確実に接続することができ接触不良を起こすことがない。
【００２２】
以上のように、ヒュージブルリンク装着部２０の外周部２１の内面にリブ２４を設けることにより、ヒュージブルリンク３０、４０の斜め挿入を防止することができるため、ヒュージブルリンク装着部２０の周壁２１を低く設定して、ヒュージブルリンク装着部２０を高さの異なる２種類の第２ヒュージブルリンク３０と第１ヒュージブルリンク４０に共用化でき、電気接続箱１０の汎用性を高めることができる。
なお、本実施形態では、ヒュージブルリンク装着部２０の周壁２１の長辺側内面にリブを設けているが、短辺側の内面にもリブを設けてもよく、この場合、ヒュージブルリンクのケースの短辺側外面にもリブと嵌合する溝を設けている。
【００２３】
図８及び図９は、本発明の第２実施形態を示す。
本実施形態では、ヒュージブルリンク装着部２０’に設けるリブ２４’の形状を第１実施形態と相違させており、周壁２１’の長辺側の内面にタブ２２’の突出端よりも高い位置に長辺方向に延在する一対のリブ２４’を設けている。該リブ２４’も第１実施形態と同様、一対のタブ２２’間に対向する位置に設けている。
【００２４】
前記構成としても、第１実施形態と同様、図９に示すように、リブ２４’によりヒュージブルリンク３０、４０の斜め挿入を防止することができる。
なお、他の構成及び作用効果は第１実施形態と同様のため、同一の符号を付して説明を省略する。
【００２５】
図１０は、本発明の第３実施形態を示す。
本実施形態も、ヒュージブルリンク装着部２０”に設けるリブ２４”の形状を第１実施形態と相違させており、周壁２１”の長辺側の内面に底壁部２３”の上面からタブ２２”の突出端よりも高い位置まで各辺にそれぞれ２本ずつリブ２４”を設けている。該リブ２４”は一対のタブ２２”間に対向する位置に、周壁２１”の長辺方向に間隔をあけてタブ２２”の近傍に設けている。
【００２６】
前記構成としても、第１実施形態と同様、リブ２４”によりヒュージブルリンク３０、４０の斜め挿入を防止することができる。
なお、他の構成及び作用効果は第１実施形態と同様のため、同一の符号を付して説明を省略する。
また、本実施形態では、ヒュージブルリンク装着部の外周部の内面の同一面に２本のリブを設けているが、３本以上設けてもよく、この場合、ヒュージブルリンクのケース外面にもリブに対応する位置に複数の溝を設けている。
【図面の簡単な説明】
【００２７】
【図１】本発明の第１実施形態の電気接続箱の平面図である。
【図２】第１実施形態のヒュージブルリンク装着部を示し、（Ａ）は平面図、（Ｂ）はＡ−Ａ線断面図、（Ｃ）はＢ−Ｂ線断面図である。
【図３】第２ヒュージブルリンクを示し、（Ａ）は平面図、（Ｂ）は正面図、（Ｃ）は側面図である。
【図４】第１ヒュージブルリンクを示し、（Ａ）は正面図、（Ｂ）は側面図である。
【図５】（Ａ）は第２ヒュージブルリンクをヒュージブルリンク装着部に真っ直ぐに挿入した状態を示す図面、（Ｂ）は第２ヒュージブルリンクをヒュージブルリンク装着部に嵌合した状態を示す図面である。
【図６】第１ヒュージブルリンクをヒュージブルリンク装着部に嵌合した状態を示す図面である。
【図７】（Ａ）は第２ヒュージブルリンクをヒュージブルリンク装着部に斜めに挿入した状態を示す図面、（Ｂ）は第１ヒュージブルリンクをヒュージブルリンク装着部に斜めに挿入した状態を示す図面である。
【図８】（Ａ）（Ｂ）は本発明の第２実施形態のヒュージブルリンク装着部の断面図である。
【図９】（Ａ）は第２ヒュージブルリンクをヒュージブルリンク装着部に斜めに挿入した状態を示す図面、（Ｂ）は第１ヒュージブルリンクをヒュージブルリンク装着部に斜めに挿入した状態を示す図面である。
【図１０】第３実施形態のヒュージブルリンク装着部を示し、（Ａ）は平面図、（Ｂ）はＡ−Ａ線断面図、（Ｃ）はＢ−Ｂ線断面図である。
【図１１】（Ａ）（Ｂ）は従来例を示す図面である。
【図１２】（Ａ）は第２ヒュージブルリンクを第２ヒュージブルリンク専用のヒュージブルリンク装着部に斜めに挿入した状態を示す図面、（Ｂ）は従来例の問題点を示す図面である。
【符号の説明】
【００２８】
１０  電気接続箱
１１  ヒューズ装着部
１２  リレー装着部
１３  コネクタ装着部
２０  ヒュージブルリンク装着部
２１  周壁
２２  タブ
２３  底壁部
２４  リブ
３０  第２ヒュージブルリンク（高さの高いヒュージブルリンク）
３１、４１  ケース
３２、４２  溝
４０  第１ヒュージブルリンク（高さの低いヒュージブルリンク）
【図１】
2005353465.tif 000003
【図２】
2005353465.tif 000004
【図３】
2005353465.tif 000005
【図４】
2005353465.tif 000006
【図５】
2005353465.tif 000007
【図６】
2005353465.tif 000008
【図７】
2005353465.tif 000009
【図８】
2005353465.tif 000010
【図９】
2005353465.tif 000011
【図１０】
2005353465.tif 000012
【図１１】
2005353465.tif 000013
【図１２】
2005353465.tif 000014